(57)【要約】【課題】  操作性の向上が可能な入力装置を提供する。【解決手段】  複数個のボタン６１〜６４をタッチパネル１１のディスプレイに表示させるとともに、いずれかのボタン６１〜６４に使用者が接触したことがタッチパネル１１の接触センサによって検出されたとき、接触されたボタン６１〜６４に応じた信号の出力や表示の変更を行うとともに、接触された回数である操作回数をボタン６１〜６４毎に計数する。そして、図１（ｂ）の左側のボタン６２や図１（ｃ）の上段２個のボタン６２，６３のように操作回数が最も多くなったボタン６１〜６４の面積を、他のボタン６１〜６４の面積よりも大きくする。【選択図】図１
2011145769.tif 000002
【特許請求の範囲】
【請求項１】
画像を表示するディスプレイ、並びに、ディスプレイにおける使用者の接触位置を検出する接触センサを有するタッチパネルと、
少なくとも１個の外部装置に対してそれぞれ信号を出力する出力部と、
接触センサの出力に応じた出力部の制御、並びに、ディスプレイの制御を行う制御部とを備え、
制御部は、複数個の選択肢のいずれかを使用者に選択させる状態では、選択肢に一対一に対応する複数個のボタンをタッチパネルのディスプレイに表示させるとともに、該複数個のボタンのいずれかに使用者が接触したことがタッチパネルの接触センサによって検出されると、接触が検出されたボタンに応じた前記制御を行うとともに、接触された回数である操作回数を各ボタンについて個別に計数し、計数された操作回数に応じてボタンの表示態様を変更することを特徴とする入力装置。
【請求項２】
制御部は、同時に表示される複数個のボタンのうち操作回数が最も多いボタンは他のボタンよりも目立つように表示させることを特徴とする請求項１記載の入力装置。
【請求項３】
制御部は、同時に表示される複数個のボタンのうち、操作回数が最も多いボタンの面積を、他のボタンの面積よりも大きくすることを特徴とする請求項２記載の入力装置。
【発明の詳細な説明】
【技術分野】
【０００１】
本発明は、入力装置に関するものである。
【背景技術】
【０００２】
従来から、タッチパネルを用いた入力装置が、例えばインターホンシステムの親機等に用いられている（例えば、特許文献１参照）。
【０００３】
タッチパネルは、画像を表示する表示手段と、使用者による操作入力を受け付ける入力手段とが一体化されたものである。上記のようなタッチパネルを用いると、表示手段と入力手段とが別途に設けられる場合に比べ、表示手段の面積の割に小型化が可能となる。
【先行技術文献】
【特許文献】
【０００４】
【特許文献１】特開平６−３３９１４４号公報
【発明の概要】
【発明が解決しようとする課題】
【０００５】
上記のような入力装置として、タッチパネルの画像においてボタンが表示され、この画像上のボタンに使用者が接触することによって操作入力が受け付けられるものがある。この種の入力装置では、ボタンがどのように表示されるかによって操作性が変化する。
【０００６】
本発明は、上記事由に鑑みて為されたものであり、その目的は、操作性の向上が可能な入力装置を提供することにある。
【課題を解決するための手段】
【０００７】
請求項１の発明は、画像を表示するディスプレイ、並びに、ディスプレイにおける使用者の接触位置を検出する接触センサを有するタッチパネルと、少なくとも１個の外部装置に対してそれぞれ信号を出力する出力部と、接触センサの出力に応じた出力部の制御、並びに、ディスプレイの制御を行う制御部とを備え、制御部は、複数個の選択肢のいずれかを使用者に選択させる状態では、選択肢に一対一に対応する複数個のボタンをタッチパネルのディスプレイに表示させるとともに、該複数個のボタンのいずれかに使用者が接触したことがタッチパネルの接触センサによって検出されると、接触が検出されたボタンに応じた前記制御を行うとともに、接触された回数である操作回数を各ボタンについて個別に計数し、計数された操作回数に応じてボタンの表示態様を変更することを特徴とする。
【０００８】
この発明によれば、ボタンの表示態様の変更により、操作性の向上が可能となる。
【０００９】
請求項２の発明は、請求項１の発明において、同時に表示される複数個のボタンのうち操作回数が最も多いボタンは他のボタンよりも目立つように表示させることを特徴とする。
【００１０】
この発明によれば、選択される頻度が最も高い選択肢に対応するボタンが目立つことになるから、操作性が向上する。
【００１１】
請求項３の発明は、請求項２の発明において、制御部は、同時に表示される複数個のボタンのうち、操作回数が最も多いボタンの面積を、他のボタンの面積よりも大きくすることを特徴とする。
【００１２】
この発明によれば、選択される頻度が高い選択肢に対応するボタンが操作しやすくなる。
【発明の効果】
【００１３】
請求項１の発明によれば、制御部は、接触された回数である操作回数を各ボタンについて個別に計数し、計数された操作回数に応じてボタンの表示態様を変更するので、操作性の向上が可能となる。
【００１４】
請求項２の発明によれば、同時に表示される複数個のボタンのうち操作回数が最も多いボタンは他のボタンよりも目立つように表示させるので、選択される頻度が最も高い選択肢に対応するボタンが目立つことになるから、操作性が向上する。
【００１５】
請求項３の発明によれば、制御部は、同時に表示される複数個のボタンのうち、操作回数が最も多いボタンの面積を、他のボタンの面積よりも大きくするので、選択される頻度が高い選択肢に対応するボタンが操作しやすくなる。
【図面の簡単な説明】
【００１６】
【図１】（ａ）〜（ｃ）はそれぞれ本実施形態のタッチパネルに表示される画像の例を示す説明図であり、（ａ）は全てのボタンの操作回数が等しい初期状態での画像を示し、（ｂ）は室内呼ボタンの操作回数が最も多くなった状態での画像を示し、（ｃ）は照明ボタンと室内呼ボタンとの操作回数が最も多くなった状態での画像を示す。
【図２】本実施形態を用いたインターホンシステムの概略構成を示す説明図である。
【図３】同上を示すブロック図である。
【発明を実施するための形態】
【００１７】
以下、本発明を実施するための最良の形態について、図面を参照しながら説明する。
【００１８】
本実施形態の入力装置は、図２に示すようにインターホンシステムを構成する親機１として構成されている。上記のインターホンシステムは、親機１のほか、子器２と、副親機３と、制御端末４と、電気錠５とを含んでいる。子器２及び副親機３はそれぞれ信号線ＳＬを介して親機１に接続され親機１との間で通話可能なものである。また、制御端末４は、親機１からワイヤレス信号として送信される制御信号に従って照明負荷（図示せず）を制御するものである。さらに、電気錠５は、例えば玄関の扉等に設けられ、親機１から信号線ＳＬを介して電気信号として送信される制御信号によって制御（開錠及び施錠）されるものである。照明負荷と制御端末４と電気錠５とはそれぞれ周知技術で実現可能であるので、詳細な図示並びに説明は省略する。
【００１９】
詳しく説明すると、親機１は、図３に示すように、タッチパネル１１と、有線通信部１２と、通話部１３と、無線通信部１４と、制御部１５と、記憶部１６とを備える。
【００２０】
タッチパネル１１は、画像を表示するディスプレイ１１ａとディスプレイ１１ａにおいて使用者が接触した位置を検出する接触センサ１１ｂとが一体化されたものである。タッチパネル１１のディスプレイ１１ａとしては例えば液晶パネルを用いることができる。また、タッチパネル１１の接触センサ１１ｂは、例えば抵抗膜方式や光学方式や超音波方式といった周知の方式で実現することができる。
【００２１】
有線通信部１２は、信号線ＳＬを介して子器２と副親機３と電気錠５とに接続され電気信号を送受信するものであり、請求項における出力部を構成する。有線通信部１２は、子器２と副親機３と電気錠５とにそれぞれ個別の信号線ＳＬを介して接続されたものであってもよいし、子器２と副親機３と電気錠５とともに共通の信号線ＳＬにバス接続されて周知の多重伝送技術によって信号を送受信するものであってもよい。いずれの場合にも、有線通信部１２は周知の電気回路で実現可能であるので詳細な図示並びに説明は省略する。
【００２２】
通話部１３は、子器２や副親機３との通話に用いられるものである。具体的には、通話部１３は、音声を電気信号である音声信号に変換する周知のマイクロホン（図示せず）と、入力された音声信号を音声に変換する周知のスピーカー（図示せず）と、マイクロホンが出力した音声信号（以下、「送話信号」と呼ぶ。）を増幅して有線通信部１２に入力する送話状態と有線通信部１２から入力され増幅された音声信号（以下、「受話信号」と呼ぶ。）をスピーカーに入力する受話状態との一方に択一的に切り替わる周知の音声スイッチ（図示せず）とを備える。音声スイッチは、制御部１５の制御によって開始される通話状態では、送話信号の強度と受話信号の強度とを比較し、送話信号の強度の方が受話信号の強度よりも高い場合には送話状態に切り替わり、受話信号の強度の方が送話信号の強度よりも高い場合には受話状態に切り替わるという比較動作を随時行う。上記のような通話部１３は周知技術で実現可能であるので、詳細な図示並びに説明は省略する。
【００２３】
無線通信部１４は、制御端末４に対し制御信号をワイヤレス信号として送信するものであり、有線通信部１２と同様に請求項における出力部を構成する。無線通信部１４が送信するワイヤレス信号は電波を媒体とするものであって、無線通信部１４はアンテナ１４ａにより制御端末４へ制御信号を送信する。このような無線通信部１４は周知技術で実現可能であるので詳細な図示並びに説明は省略する。
【００２４】
制御部１５は、タッチパネル１１のディスプレイ１１ａと有線通信部１２と通話部１３と無線通信部１４とをそれぞれ制御するものである。このような制御部１５は、マイコンと呼ばれる集積回路を用いて周知技術で実現可能である。
【００２５】
記憶部１６は、不揮発性メモリからなり制御部１５の動作に用いられる各種のデータが格納されるものである。
【００２６】
また、子器２と副親機３とは、それぞれ、親機１との通話を可能とするために、親機１と同様の通話部（図示せず）を備える。
【００２７】
さらに、子器２は、呼び出しボタン２１を有し、呼び出しボタン２１が押操作されたときに所定の電気信号である呼出信号を信号線ＳＬを介して親機１へ送信する呼出部（図示せず）と、画像を撮像して電気信号である画像信号に変換するカメラ（図示せず）とを備える。上記のカメラは、呼出信号が送信された後に画像信号の送信を開始するほか、親機１から送信された制御信号に応じて画像信号の送信の開始及び停止を行う。このような子器２は周知技術で実現可能であるので、詳細な図示並びに説明は省略する。
【００２８】
親機１において、制御部１５は、子器２からの呼出信号が有線通信部１２に受信されると、所定の呼出音を発生させるように通話部１３のスピーカーを制御する。さらに、制御部１５は、子器２からの画像信号を画像として再生するとともに該画像上にボタンを表示するように、タッチパネル１１のディスプレイ１１ａを制御する。その後、制御部１５は、接触センサ１１ｂの出力に応じて、通話状態の開始・終了と画像の表示とを切り替えるように、通話部１３と有線通信部１２とタッチパネル１１のディスプレイ１１ａとをそれぞれ制御する。
【００２９】
副親機３は、例えば液晶パネルのようなディスプレイ３１と、通話の開始・終了等を指示する操作入力を受け付けるための複数個（図では５個）の押ボタン３２とを有し、親機１と同様に、子器２からの呼出信号への応答、並びに、画像信号を再生した画像の表示が可能となっている。
【００３０】
以下、画像信号の再生や通話が行われていない状態（以下、「待機状態」と呼ぶ。）での制御部１５の動作を説明する。
【００３１】
待機状態では、制御部１５は、図１（ａ）〜（ｃ）に示すように、それぞれ外部装置としての子器２と副親機３と制御端末４と電気錠５とに一対一に対応する４個のボタン６１〜６４を表示するように、ディスプレイ１１ａを制御する。そして、使用者が上記のボタン６１〜６４のいずれかの領域に接触したことが接触センサ１１ｂに検出されると、制御部１５は、接触が検出されたボタン６１〜６４に応じた動作を行う。
【００３２】
すなわち、子器２に対応するボタン（以下、「カメラボタン」と呼ぶ。）６１の領域での接触が接触センサ１１ｂにおいて検出された場合、制御部１５は、画像信号の送信の開始を指示する制御信号を子器２に送信するように有線通信部１２を制御するとともに、該制御信号に応答して子器２から送信された画像信号を画像として再生するようにディスプレイ１１ａを制御するというモニタ動作を行う。また、制御部１５は、モニタ動作中には、上記の画像上に、モニタ動作の終了を指示するボタンを表示させ、モニタ動作中に該ボタンへの接触が検出された場合、モニタ動作を終了して待機状態に復帰する。なお、カメラを有する子器２が複数台接続されている場合、有線通信部１２の制御の前に、子器２の選択を受け付ける動作を挟むとともに、選択された子器２との間で制御信号及び画像信号の送受信が行われるようにすることで、上記のモニタ動作に用いる子器２を選択可能としてもよい。
【００３３】
また、副親機３に対応するボタン（以下、「室内呼ボタン」と呼ぶ。）６２の領域での接触が接触センサ１１ｂにおいて検出された場合、制御部１５は、副親機３との間での有線通信部１２を介した適宜の信号の送受信の後、副親機３との間での通話が可能な通話状態とするように有線通信部１２と通話部１３とをそれぞれ制御するという通話動作を開始する。また、制御部１５は、通話動作中には、通話動作の終了を指示するボタンを表示させるようにディスプレイ１１ａを制御し、通話動作中に該ボタンへの接触が検出された場合、通話動作を終了して待機状態に復帰する。なお、上記の通話動作の対象として子器２も選択可能とする場合や、副親機３が複数台接続されている場合には、有線通信部１２の制御の前に、通話動作の対象とする子器２や副親機３の選択を受け付ける動作を挟むとともに、選択された子器２又は副親機３との間で通話状態が開始されるようにすることで、通話動作の対象とする子器２や副親機３を選択可能としてもよい。
【００３４】
さらに、制御端末４に対応するボタン（以下、「照明ボタン」と呼ぶ。）６３の領域での接触が接触センサ１１ｂにおいて検出された場合、制御部１５は、照明負荷のオンオフの切替を指示する制御信号を送信するように無線通信部１４を制御する。なお、無線通信部１４の制御の前に、照明負荷の選択を受け付ける動作や、オンオフの切替か光出力の変更かの選択を受け付ける動作を挟むとともに、無線通信部１４が送信する制御信号には上記の選択内容が反映されるようにすることで、制御する照明負荷の選択や照明負荷の光出力の変更を可能としてもよい。
【００３５】
また、電気錠５に対応するボタン（以下、「電気錠ボタン」と呼ぶ。）６４の領域での接触が接触センサ１１ｂにおいて検出された場合、有線通信部１２と信号線ＳＬとを介した電気錠５との通信により、電気錠５が開錠・施錠のいずれの状態であるかの情報を取得し、取得された情報を表示するようにディスプレイ１１ａを制御するという電気錠表示動作を開始する。また、制御部１５は、電気錠表示動作の終了を指示するボタンを表示させるようにディスプレイ１１ａを制御し、電気錠表示動作中に該ボタンへの接触が検出された場合、電気錠表示動作を終了して待機状態に復帰する。さらに、取得された情報を表示する画像上で、電気錠５の開錠・施錠の切り替えの操作が受け付けられるようにしてもよい。
【００３６】
さらに、制御部１５は、待機状態で表示されるボタン６１〜６４毎に、接触が受け付けられた回数である操作回数を、計数するとともに記憶部１６に格納する。そして、操作回数が最も多くなったボタン６１〜６４については他のボタン６１〜６４よりも面積を大きくする。例えば、室内呼ボタン６２の操作回数が最も多くなった場合、図１（ｂ）に示すように室内呼ボタン６２の面積を他のボタン６１，６３，６４の面積よりも大きくする。また、室内呼ボタン６２の操作回数と照明ボタン６３の操作回数とが同数で最も多くなった場合、図１（ｃ）に示すように上記２個のボタン６２，６３の面積を残り２個のボタン６１，６４の面積よりも大きくする。さらに、図１（ｂ）の例では最も操作回数が多い室内呼ボタン６２を画面左側に配置するとともに他の３個のボタン６１，６３，６４を画面右側において上下に並べて配置し、図１（ｃ）の例では操作回数が多い室内呼ボタン６２及び照明ボタン６３を残り２個のボタン６１，６４よりも上側に配置するといったように、面積が大きいボタン６１〜６４ほど左上側に配置するという配置の変更も、面積の変更とともに行われている。
【００３７】
上記構成によれば、操作回数が最も多いボタン６１〜６４の面積が他のボタン６１〜６４の面積よりも大きくされることにより、操作回数が最も多い（つまり選択される頻度が最も高い選択肢に対応する）ボタン６１〜６４が目立つとともに操作面積が大きくされて接触しやすくなることになるから、操作回数に関わらず図１（ａ）のような表示が継続される場合に比べて操作性が向上する。
【００３８】
なお、操作回数が最も多いボタンを目立たせる方法としては、上記のように面積を異ならせる以外にも、例えばボタンが３個以上である場合、操作回数が最も多いボタンは他のボタンとは色を異ならせるという方法や、操作回数が最も多いボタンのみ他のボタンから隔離して配置するといった方法も考えられ、上記各種の方法を複数種類組み合わせて採用してもよい。
【符号の説明】
【００３９】
１  親機（請求項における入力装置）
２  子器（請求項における外部装置）
３  副親機（請求項における外部装置）
４  制御端末（請求項における外部装置）
５  電気錠（請求項における外部装置）
１１  タッチパネル
１１ａ  ディスプレイ
１１ｂ  接触センサ
１２  有線通信部（請求項における出力部）
１４  無線通信部（請求項における出力部）
１５  制御部
６１〜６４  ボタン
【図１】
2011145769.tif 000003
【図２】
2011145769.tif 000004
【図３】
2011145769.tif 000005